(57)【要約】【課題】  絵皿等の被吊下物を吊下げない場合に折畳んで小さくすることができ、被吊下物の美観を損なわず、異なる大きさの被吊下物が保持でき、被吊下物の脱落の防止が可能な吊下具の提供。【解決手段】  ２つの屈曲した保持線体１，２で保持した被吊下物１７を吊下げる吊下具において、保持線体１，２を揺動可能に連結するようにした。また、保持線体２は、被吊下物１７に当接する当接部２３を複数備えると共に、当接部２３同士を接離することが可能な可撓性を有するようにした。また、保持線体２の当接部２３同士が所定の距離以上に離反することを抑制する抑制部２６を備えるようにした。さらに、保持線体２はＭ字状をなして中央部を抑制部２６とした。【選択図】        図５
2005312696.tif 000002
【特許請求の範囲】
【請求項１】
２つの屈曲した保持線体で保持した被吊下物を吊下げる吊下具において、
前記保持線体を揺動可能に連結してあることを特徴とする吊下具。
【請求項２】
前記保持線体の一方は、前記被吊下物に当接する当接部を複数備えると共に、該当接部同士を接離することが可能な可撓性を有することを特徴とする請求項１に記載の吊下具。
【請求項３】
前記保持線体の一方の当接部同士が所定の距離以上に離反することを抑制する抑制部を備えることを特徴とする請求項２に記載の吊下具。
【請求項４】
前記保持線体の一方は、Ｍ字状をなして中央部を前記抑制部としてあることを特徴とする請求項３に記載の吊下具。
【請求項５】
２つの屈曲した保持線体で保持した被吊下物を吊下げる吊下具において、
前記保持線体の一方は、Ｍ字状をなし、両端部が可撓性を有し、前記被吊下物に当接する第１当接部を前記両端部夫々に設けてあり、
前記保持線体の他方は、倒立Ｖ字状をなし、前記被吊下物に当接する第２当接部を屈曲部に設けてあると共に、環状をなす連結部を両端部夫々に設けてあり、
前記保持線体の一方の両端部に連設された２つの屈曲部を、前記保持線体の他方の連結部に夫々挿通して前記保持線体の一方と他方とを揺動可能に連結してあり、
前記第１当接部及び第２当接部の前記被吊下物への当接で前記被吊下物を保持するように構成してある
ことを特徴とする吊下具。
【発明の詳細な説明】
【技術分野】
【０００１】
本発明は、絵皿、額縁等の被吊下物を吊下げる吊下具に関する。
【背景技術】
【０００２】
食器の皿には、絵又は模様が付された絵皿があり、この絵皿の中には、芸術性の高い絵又は模様が付された絵皿がある。このような芸術性の高い絵皿は、絵画と同様に、壁面に飾る場合があり、絵皿をこのように飾る場合には、絵皿を保持して吊下げる吊下具を、壁面に凸設した金具に取付けるようにすることが多い。
【０００３】
この吊下具として、左右一対の下部係止部と、一又は左右一対の上部係止部とを一対のコイルスプリングにて連結し、上部係止部に壁面の金具への取付部を連設してある吊下具がある（例えば、特許文献１参照。）。
【０００４】
また、絵皿の外形寸法より大寸法で絵皿の裏面を当接保持する基台と、該基台の絵皿側に突出して設けられ、基台上を移動し得る突出軸と、該突出軸に支持され、基台と平行に延びる係止部材とを備え、基台、突出軸及び係止部材で絵皿を挾持する吊下具がある（例えば、特許文献２参照。）。
【特許文献１】実開昭５０−１４７７９６１号公報
【特許文献２】特開２００１−２７５８１０号公報
【発明の開示】
【発明が解決しようとする課題】
【０００５】
しかしながら、特許文献１に開示された吊下具は、大型の絵皿、例えば直径が約３０ｃｍ以上ある絵皿に対応するように作製した場合、吊下具自体が大きくなり、吊下具自体の持ち運び又は収納が不便であるという問題があった。
【０００６】
また、特許文献２に開示された吊下具は、挾持することが可能な最も大きな絵皿より小さい絵皿を挾持した場合、基台の端部が絵皿の外側に露出し、絵皿の美観を損なうという問題があった。
【０００７】
このような問題は、絵皿を吊下げる場合に特有の問題ではなく、額縁等の他の被吊下物を吊下げる場合にも起こり得る。
【０００８】
本発明は斯かる事情に鑑みてなされたものであり、被吊下物を吊下げない場合に折畳んで小さくすることができると共に、被吊下物を吊下げた場合に被吊下物の美観を損なわない吊下具を提供することを目的とする。
【０００９】
また、本発明は、異なる大きさの被吊下物も係止することが可能な吊下具を提供することを目的とする。
【００１０】
また、本発明は、自重の作用による被吊下物の脱落を防止することが可能な吊下具を提供することを目的とする。
【００１１】
また、本発明は、自重の作用による被吊下物の脱落を防止するために、構成部品点数を増加させることがない吊下具を提供することを目的とする。
【００１２】
さらに、本発明は、単純な構成としてコストを抑えた吊下具を提供することを目的とする。
【課題を解決するための手段】
【００１３】
第１発明に係る吊下具は、２つの屈曲した保持線体で保持した被吊下物を吊下げる吊下具において、前記保持線体を揺動可能に連結してあることを特徴とする。
【００１４】
第１発明においては、被吊下物を２つの保持線体で保持して吊下げる。２つの保持線体を揺動可能に連結した構成とし、保持線体の一方を揺動させて他方に重ねるようにして小さく折畳む。
【００１５】
第２発明に係る吊下具は、第１発明において、前記保持線体の一方は、前記被吊下物に当接する当接部を複数備えると共に、該当接部同士を接離することが可能な可撓性を有することを特徴とする。
【００１６】
第２発明においては、保持線体の一方を、複数の当接部を備えるように、しかも当接部同士を接離することが可能な可撓性を有するように構成し、当接部が互いに離反するように保持線体の一方を撓ませて、保持することが可能な被吊下物の大きさを変える。
【００１７】
第３発明に係る吊下具は、第２発明において、前記保持線体の一方の当接部同士が所定の距離以上に離反することを抑制する抑制部を備えることを特徴とする。
【００１８】
第３発明においては、保持線体の一方の当接部同士が所定の距離以上に離反することを抑制する抑制部を備えるように構成し、保持線体の一方が下側に配された場合に、被吊下物が大きく重たいとき、又は地震の振動等の外力が作用したときでも、被吊下物の自重の作用で当接部同士が所定の距離以上に離反することを防止する。
【００１９】
第４発明に係る吊下具は、第３発明において、前記保持線体の一方は、Ｍ字状をなして中央部を前記抑制部としてあることを特徴とする。
【００２０】
第４発明においては、保持線体の一方をＭ字状になして中央部を抑制部とし、保持線体の一方の当接部同士が所定の距離以上に離反する場合に、抑制部が、当接部同士が所定の距離以上に離反することを防止する。
【００２１】
第５発明に係る吊下具は、２つの屈曲した保持線体で保持した被吊下物を吊下げる吊下具において、前記保持線体の一方は、Ｍ字状をなし、両端部が可撓性を有し、前記被吊下物に当接する第１当接部を前記両端部夫々に設けてあり、前記保持線体の他方は、倒立Ｖ字状をなし、前記被吊下物に当接する第２当接部を屈曲部に設けてあると共に、環状をなす連結部を両端部夫々に設けてあり、前記保持線体の一方の両端部に連設された２つの屈曲部を、前記保持線体の他方の連結部に夫々挿通して前記保持線体の一方と他方とを揺動可能に連結してあり、前記第１当接部及び第２当接部の前記被吊下物への当接で前記被吊下物を保持するように構成してあることを特徴とする。
【００２２】
第５発明においては、保持線体の一方の第１当接部と、保持線体の他方の第２当接部との被吊下物への当接で被吊下物を保持して吊下げる。保持線体の一方を揺動させて保持線体の他方に重ねるようにして小さく折畳み、また、当接部が互いに離反するように保持線体の一方を撓ませて、保持することが可能な被吊下物の大きさを変え、さらに、保持線体の一方の中央部で当接部同士が所定の距離以上に離反することを防止する。
【発明の効果】
【００２３】
第１発明に係る吊下具においては、２つの保持線体を揺動可能に連結したから、保持線体の一方を揺動して他方に重ねるようにすることで小さく折畳むことができ、被吊下物を吊下げない場合の持ち運び又は収納が便利になる。また、各保持線体の連結した側の反対側に、被吊下物に当接する当接部を設けることにより、吊下具は、被吊下物の外側に殆どはみ出さず、２つの保持線体で保持して吊下げた被吊下物の美観を損ねることがない。
【００２４】
また、第２発明に係る吊下具においては、保持線体の一方を、複数の当接部を備えると共に、当接部同士を接離することが可能な可撓性を有するように構成したから、保持線体の一方を撓ませて当接部同士の間隔を広げることができ、当接部同士の間隔を広げることで、より大きい被吊下物を保持して吊下げることができる。
【００２５】
また、第３発明に係る吊下具においては、保持線体の一方の当接部同士が所定の距離以上に離反することを抑制する抑制部を備えたから、保持線体の一方が下側に配された場合に、被吊下物が大きく重たいとき、又は地震の振動等の外力が被吊下物に作用したときでも、被吊下物の自重の作用により保持線体の一方に撓みが発生して当接部同士が所定の距離以上に離反することがなく、被吊下物が当接部の間から脱落するということを防止することができる。
【００２６】
また、第４発明に係る吊下具においては、保持線体の一方をＭ字状になして中央部を抑制部としたから、抑制部が保持線体の一方と一体化して別部品とならず、抑制部を備えるために構成部品点数を増加させることがない。
【００２７】
さらに、第５発明に係る吊下具においては、倒立Ｖ字状をなす保持線体の両端部夫々に設けた連結部を、Ｍ字状をなす保持線体の両端部に連設された２つの屈曲部が夫々挿通した構成としたから、非常に単純な構成であり、コストを抑えることができる。また、第１発明乃至第４発明に係る吊下具と同様に、保持線体の一方を揺動させて小さく折畳むこともでき、当接部同士の間隔を広げてより大きい被吊下物を吊下げることもでき、当接部の間からの被吊下物の脱落を防止することもでき、当接部の間からの被吊下物の脱落を防止するために構成部品点数を増加させることもない。
【発明を実施するための最良の形態】
【００２８】
以下、本発明をその実施の形態を示す図面に基づいて詳述する。
【００２９】
実施の形態１
図１は、実施の形態１の吊下具の斜視図である。
【００３０】
図において１は保持線体であり、保持線体１は、ステンレス鋼製の線状部材を屈曲して倒立Ｖ字状に形成したものである。保持線体１の屈曲部１８には、丸型の絵皿１７（図１では２点鎖線で図示）の周縁に当接する鉤状の当接部１０と、環状をなす組付部１１とを設けてあり、当接部１０は、合成樹脂製の保護部材１２により覆われて絵皿１７に直接当接しないように構成してある。保護部材１２は、当接部１０が絵皿１７を傷付けないように保護すると共に、絵皿１７と当接部１０との滑り止めとしても機能する。
【００３１】
前述の組付部１１には、環状をなす取付部１３を組付けてあり、取付部１３は、壁又は柱等に凸設された金具等の被取付体１６（図１では２点鎖線で図示）に取付ける部分である。取付部１３を被取付体１６に取付けることにより、保持線体１は、屈曲部１８が上側となる状態で吊下げられる。
【００３２】
保持線体１の下端部夫々には、環状に形成された連結部１５，１５を設けてあり、連結部１５，１５には、保持線体２の横設部２１が連結されている。保持線体２は、保持線体１と同様に、ステンレス鋼製の線状部材を屈曲したものであり、横設部２１の両端夫々から脚部２２，２２が下方向に延びるように形成してある。
【００３３】
保持線体２の横設部２１は、保持線体１の連結部１５，１５を挿通しており、連結部１５，１５の外側で下方向へ延びる脚部２２，２２の下端部夫々には、絵皿１７の周縁に当接する鉤状の当接部２３，２３を設けてある。当接部２３，２３は、合成樹脂製の保護部材２４，２４により夫々覆われて絵皿１７に直接当接しないように構成してある。保護部材２４，２４は、当接部２３，２３が絵皿１７を傷付けないように保護すると共に、絵皿１７と当接部２３，２３との滑り止めとしても機能する。
【００３４】
脚部２２，２２は、当接部２３，２３同士を接離することが可能な可撓性を有するようになしてあり、保持線体１の当接部１０と、保持線体２の当接部２３，２３との３箇所の絵皿１７への当接により絵皿１７を保持するように構成してある。なお、保持線体２の横設部２１と、保持線体１の連結部１５，１５とは固定しておらず、保持線体１と保持線体２とは、互いに揺動することが可能にしてある。
【００３５】
以上のような構成により、保持線体１の当接部１０と、保持線体２の当接部２３，２３との３箇所の当接で絵皿１７を保持すると共に、取付部１３を被取付体１６に取付けることで、絵皿１７が被取付体１６に吊下げられる。
【００３６】
本発明に係る吊下具は、保持線体１と保持線体２とを互いに揺動可能に連結したから、図２に示したように、保持線体２を揺動して保持線体１に重ねるように折畳むことにより、上下方向の全長Ｙを全長Ｚに短くすることができる。
【００３７】
また、本発明に係る吊下具は、保持線体２を、複数の当接部２３，２３を備えると共に、当接部２３，２３同士を接離することが可能な可撓性を有するように構成したから、図３に示したように、当接部２３，２３同士の間隔を拡大するように保持線体２の脚部２２，２２を撓ませることにより、より大きい絵皿１７を当接部１０と当接部２３，２３との３箇所の当接で保持することができる。
【００３８】
さらに、本発明に係る吊下具は、保持線体１の屈曲部１８に当接部１０を設けると共に、保持線体２の脚部２２，２２の下端部夫々に当接部２３，２３を設け、当接部１０と当接部２３，２３との３箇所の当接で絵皿１７を保持するようにしたから、絵皿１７の外側に露出する部分が少なく、絵皿１７の美観を損なわない。
【００３９】
このように、本発明に係る吊下具は、バネ等を用いず、線状部材を屈曲した非常に単純な構成であるにも拘わらず、前述したような優れた効果を奏することができる。また、本発明に係る吊下具は、単純な構成及び部品点数の少なさから、低コストで作製することができる。
【００４０】
実施の形態２
図４は、実施の形態２の吊下具の斜視図である。
【００４１】
図において２７は、紐で形成された抑制部であり、抑制部２７の両端部は、保持線体２の脚部２２，２２夫々の中途に形成された環状の固定部２５，２５に夫々固定されている。抑制部２７の長さは、固定部２５，２５間の長さよりも長くしてあり、保持線体２の脚部２２，２２を撓ませて当接部２３，２３同士の間隔を所定の間隔まで広げた場合に、抑制部２７が張設されるように構成してある。抑制部２７は、当接部２３，２３が互いに所定の距離以上に離反することを抑制する。
【００４２】
本発明に係る吊下具は、当接部２３，２３同士が所定の距離以上に離反することを抑制する抑制部２７を備えたから、例えば直径が３０ｃｍ以上ある大型で重たい絵皿１７を保持した場合、又は地震の振動等の外力が絵皿１７に作用した場合に、絵皿１７の自重の作用により保持線体２の脚部２２，２２が撓んで当接部２３，２３同士の間隔が広がり、絵皿１７が当接部２３，２３の間から脱落するのを防止することができる。
【００４３】
その他の構成及び作用は、前述した実施の形態１と同様のため、対応する構成部材に同一の参照符号を付し、その構成及び作用の説明を省略する。
【００４４】
なお、前述した実施の形態２では、抑制部２７を紐としたが、抑制部２７を構成するものは紐に限定されず、例えば、ベルト又はコイルスプリングでもよく、当接部２３，２３同士が所定の距離以上に離反することを抑制するものであればよい。
【００４５】
また、抑制部２７を紐又はベルト等にした場合に、抑制部２７の長さを調節するバックル等の調節部を備えたときには、抑制部２７の長さを前記調節部によって短くすることにより、当接部２３，２３同士が接近する方向への力を加えて絵皿１７の保持力を高めることができる。
【００４６】
実施の形態３
図５は、実施の形態３の吊下具の斜視図である。
【００４７】
図において２は保持線体であり、保持線体２はステンレス鋼製の線状部材を屈曲してＭ字状に形成したものであり、Ｖ字状をなす中央部を抑制部２６としてある。保持線体２の両端部となる脚部２２，２２夫々と抑制部２６との連結部分、つまり、保持線体２の両端部に連設された２つの屈曲部２９，２９は、保持線体１の連結部１５，１５を夫々挿通し、保持線体１と保持線体２とが連結されている。
【００４８】
抑制部２６は、脚部２２，２２の下端に設けられた当接部２３，２３同士が所定の距離以上に離反した場合、上側の間隔が狭まり、反発力を発生して当接部２３，２３同士が所定の距離以上に離反しないように抑制する。
【００４９】
本発明に係る吊下具は、保持線体２をＭ字状に形成してＶ字状をなす中央部を抑制部２６としたから、部品点数を増加させずに、絵皿１７の自重の作用による当接部２３，２３同士の所定の距離以上の離反を防止し、絵皿１７が当接部２３，２３の間から脱落するのを防止することができる。
【００５０】
その他の構成及び作用は、前述した実施の形態１と同様のため、対応する構成部材に同一の参照符号を付し、その構成及び作用の説明を省略する。
【００５１】
なお、前述した実施の形態３では、保持線体２をＭ字状に形成し、Ｖ字状をなす中央部を抑制部２６としたが、保持線体２は、図６に示したように形成してもよい。
【００５２】
図において２は保持線体であり、保持線体２は中央部に抑制部２８を備えている。抑制部２８は、横設されたコイルスプリングと、該コイルスプリングの両端夫々から上方向へ延びた腕部とを備え、腕部の上端は、脚部２２，２２の上端に連結し、屈曲部２９，２９を形成している。
【００５３】
このような構成により、当接部２３，２３同士を所定の距離以上に離反させた場合には、腕部及び脚部２２，２２が、屈曲部２９，２９を中心として回転するように動き、抑制部２８のコイルスプリングが伸長する。この伸長を戻そうとするコイルスプリングの付勢力が、腕部及び脚部２２，２２を介して当接部２３，２３に作用するから、当接部２３，２３同士が所定の間隔以上に離反することが抑制される。従って、絵皿１７の自重の作用による当接部２３，２３同士の所定の距離以上の離反を防止し、絵皿１７が当接部２３，２３の間から脱落するのを防止することができる。
【００５４】
その他の構成及び作用は、前述した実施の形態１と同様のため、対応する構成部材に同一の参照符号を付し、その構成及び作用の説明を省略する。
【００５５】
実施の形態４
図７は、実施の形態４の吊下具の斜視図である。
【００５６】
図において３は保持線体であり、保持線体３は、ステンレス鋼製の線状部材の一端部と他端部とを屈曲して形成したものである。保持線体３の一端部には、丸型の絵皿１７（図７では２点鎖線で図示）の周縁に当接する鉤状の当接部３０と、環状をなす組付部３１とを設けてあり、当接部３０は、合成樹脂製の保護部材３２により覆われて絵皿１７に直接当接しないように構成してある。保護部材３２は、当接部３０が絵皿１７を傷付けないように保護すると共に、絵皿１７と当接部３０との滑り止めとしても機能する。
【００５７】
前述の組付部３１には、環状をなす取付部３３を組付けてあり、取付部３３は、壁又は柱等に凸設された金具等の被取付体１６（図７では２点鎖線で図示）に取付ける部分である。取付部３３を被取付体１６に取付けることにより、保持線体３は、一端部が上側となる状態で吊下げられる。
【００５８】
保持線体３の下端部には、環状をなす連結部３５を設けてあり、連結部３５には、保持線体４を連結してある。保持線体４は、保持線体３と同様に、ステンレス鋼製の線状部材を屈曲して倒立Ｖ字状に形成したものであり、保持線体４の屈曲部４９に設けた環状の連結部４０が連結部３５を挿通している。
【００５９】
保持線体４の屈曲部４９から下方向へ延びる２つの脚部４２，４２の下端部夫々には、絵皿１７の周縁に当接する鉤状の当接部４３，４３を設けてあり、当接部４３，４３は、合成樹脂製の保護部材４４，４４により夫々覆われて絵皿１７に直接当接しないように構成してある。保護部材４４，４４は、当接部４３，４３が絵皿１７を傷付けないように保護すると共に、絵皿１７と当接部４３，４３との滑り止めとしても機能する。
【００６０】
保持線体４の脚部４２，４２は、当接部４３，４３同士を接離することが可能な可撓性を有するようになしてあり、保持線体３の当接部３０と、保持線体４の当接部４３，４３との３箇所の絵皿１７への当接により絵皿１７を保持するように構成してある。なお、保持線体４の連結部４０と、保持線体３の連結部３５とは固定されておらず、保持線体３と保持線体４とは、互いに揺動することが可能とされている。
【００６１】
このような構成により保持線体３の当接部３０と、保持線体４の当接部４３，４３との３箇所で絵皿１７を保持すると共に、取付部３３を被取付体１６に取付けることで、絵皿１７が被取付体１６に吊下げられる。
【００６２】
本実施の形態４に示した本発明に係る吊下具は、保持線体３と保持線体４とを互いに揺動可能に連結したから、実施の形態１に示した吊下具と同様に、小さく折畳むことができ、上下方向の全長を短くすることができる。また、本実施の形態４に示した吊下具は、保持線体４が可撓性を有するから、当接部４３，４３同士を離反させ、より大きい絵皿１７を係止することもできる。さらに、本実施の形態４に示した吊下具は、保持線体３の一端部に当接部３０を設けると共に、保持線体４の下端部に当接部４３，４３を設けたから、絵皿１７の外側に露出する部分が少なく、絵皿１７の美観を損なわない。
【００６３】
なお、本実施の形態４に示した吊下具は、実施の形態２又は３に示したような抑制部２６，２７，２８を備えるように構成してもよい。抑制部２６，２７，２８を備えた場合には、当接部４３，４３間からの被吊下物１７の脱落を防止することができる。
【００６４】
以上、本発明に係る吊下具を実施の形態を示す図面に基づいて説明したが、本発明に係る吊下具は、前述した実施の形態１乃至４に記載した構成に限定されず、本発明の趣旨に逸脱しない範囲にて一部の構成を追加、削除又は変更してもよい。
【００６５】
例えば、前述した実施の形態１乃至４では、本発明に係る吊下具を、保持線体１，３を上側に配し、保持線体２，４を下側に配した状態で使用したが、本発明に係る吊下具は、保持線体１，３を下側に配し、保持線体２，４を上側に配した状態で使用してもよい。
【００６６】
図８は、実施の形態３の吊下具を、保持線体１を下側に配し、保持線体２を上側に配した状態で使用した場合を示す模式図である。
【００６７】
保持線体１を下側に配し、保持線体２を上側に配した状態で吊下具を使用することにより、図８（ａ）に示したように、三角型の絵皿１７も安定して係止することができ、当接部２３，２３同士を離反させた場合には、より大きな三角型の絵皿１７も係止することができる。また、図８に示したような状態で吊下具を使用した場合には、倒立Ｖ字状となる抑制部２６を被取付体１６（図５参照）に取付けて絵皿１７を吊下げることが可能であるから、組付部１１及び取付部１３（図５参照）を省略することができる。なお、図８（ｂ）（ｃ）に示したように、丸型又は四角型の絵皿１７の場合に、保持線体１を下側に配し、保持線体２を上側に配した状態で吊下具を使用してもよいことは言うまでもない。
【００６８】
また、前述した実施の形態１乃至４では、本発明に係る吊下具を、保持線体１，３と保持線体２，４とを連結した構成とし、保持線体１，３と保持線体２，４とで保持した絵皿１７を吊下げるように構成したが、図９に示したような構成の吊下具で絵皿１７を吊下げるようにしてもよい。
【００６９】
図において５は本体であり、本体５は、ステンレス鋼製の線状部材を屈曲して倒立Ｖ字状に形成したものである。本体５の屈曲部１８には、当接部１０及び組付部１１を設けてあり、当接部１０は保護部材１２にて覆ってある。
【００７０】
前述の組付部１１には、取付部１３を組付けてあり、取付部１３を被取付体１６に取付けることにより、本体５は、屈曲部１８が上側となる状態で吊下げられる。屈曲部１８から下方向へ延びる２つの脚部５０，５０の中途には、環状をなす固定部２５，２５が夫々設けてあり、脚部５０，５０の下端部夫々には、保護部材２４，２４により覆われた当接部２３，２３が設けてある。また、脚部５０，５０は、当接部２３，２３同士を接離することが可能な可撓性を有するようになしてある。
【００７１】
前述した固定部２５の一方には、抑制部２７の一端部を固定し、固定部２５の他方には抑制部２７の他端部を固定してある。抑制部２７は紐で形成され、抑制部２７の長さは、固定部２５，２５間の長さよりも長くしてあり、脚部５０，５０を撓ませて当接部２３，２３同士の間隔を所定の間隔まで広げた場合に、抑制部２７が張設されるように構成してある。
【００７２】
このような構成により、当接部１０と当接部２３，２３との３箇所の当接で絵皿１７を保持することができ、脚部５０，５０を撓ませて当接部２３，２３同士の間隔を拡大した場合には、より大きな絵皿１７を保持することもできる。また、絵皿１７の外側に露出する部分が少ないから、当接部１０，２３，２３で保持して吊下げた絵皿１７の美観を損なわない。さらに、抑制部２７を備えたから、当接部２３，２３間からの被吊下物１７の脱落を防止することができる。
【００７３】
その他の構成及び作用は、前述した実施の形態１又は２と同様のため、対応する構成部材に同一の参照符号を付し、その構成及び作用の説明を省略する。
【００７４】
また、前述した実施の形態１乃至４では、保持線体１，３及び保持線体２，４をステンレス鋼製としたが、保持線体１，３、保持線体２，４の材料はステンレス鋼に限定されず、他の金属又は合成樹脂でもよい。なお、図９に示した吊下具の材料においても、ステンレス鋼に限定されない。
【００７５】
さらに、前述した実施の形態１乃至４では、保持線体１，３及び保持線体２，４に保持するものを丸型の絵皿１７としたが、保持線体１，３及び保持線体２，４に保持するものは、丸型の絵皿１７に限定されず、例えば、他の形状をなす絵皿又は額縁を係止するようにしてもよいことは言うまでもない。
【図面の簡単な説明】
【００７６】
【図１】実施の形態１の吊下具の斜視図である。
【図２】本発明に係る吊下具の折り畳みの説明図である。
【図３】より大きい絵皿を係止する場合の説明図である。
【図４】実施の形態２の吊下具の斜視図である。
【図５】実施の形態３の吊下具の斜視図である。
【図６】他の実施の形態の吊下具の斜視図である。
【図７】実施の形態４の吊下具の斜視図である。
【図８】保持線体１と保持線体２とを上下逆に配して使用した場合を示す模式図である。
【図９】折り畳みができない仕様の吊下具の斜視図である。
【符号の説明】
【００７７】
１，３  保持線体
２，４  保持線体
１０  当接部
１５  連結部
１７  絵皿（被吊下物）
１８  屈曲部
２２  脚部（両端部）
２３  当接部
２６，２７，２８  抑制部
２９  屈曲部
【図１】
2005312696.tif 000003
【図２】
2005312696.tif 000004
【図３】
2005312696.tif 000005
【図４】
2005312696.tif 000006
【図５】
2005312696.tif 000007
【図６】
2005312696.tif 000008
【図７】
2005312696.tif 000009
【図８】
2005312696.tif 000010
【図９】
2005312696.tif 000011